(57)【要約】  本開示は、走査駆動回路及びその駆動方法、表示装置を提供する。前記走査駆動回路（１００）は、第１走査ユニット（１１）、第１走査線（１４）、第１制御回路（１３）及び第１スイッチング回路（１２）を備える。第１走査ユニット（１１）は、第１出力端（１５）を備え、第１走査信号を出力するように配置される。第１制御回路（１３）は、第１スイッチング回路（１２）に接続され、第１制御信号の制御下で、第１スイッチング回路（１２）のオン／オフを制御するように配置される。第１走査線（１４）は、第１スイッチング回路（１２）がオンの時に、第１出力端（１５）と第１走査線（１４）とを電気的に接続することを実現するように、第１スイッチング回路（１２）を介して第１出力端（１５）に接続される。
2020529620.tif 000002
【特許請求の範囲】
【請求項１】
第１走査ユニット、第１走査線、第１制御回路及び第１スイッチング回路を備え、
前記第１走査ユニットは、第１出力端を備え、第１走査信号を出力するように配置され、
前記第１制御回路は、前記第１スイッチング回路に接続され、第１制御信号の制御下で、前記第１スイッチング回路のオン／オフを制御するように配置され、及び、
前記第１走査線は、前記第１スイッチング回路がオンの時に、前記第１出力端と前記第１走査線とを電気的に接続することを実現するように、前記第１スイッチング回路を介して前記第１出力端に接続される
ことを特徴とする、走査駆動回路。
【請求項２】
前記第１スイッチング回路は、第１スイッチングトランジスタを備え、前記第１スイッチングトランジスタの第１極は前記第１出力端に接続され、第２極は前記第１走査線に接続される第１スイッチングトランジスタを備え、及び、
前記第１制御回路は、第１制御トランジスタを備え、前記第１制御トランジスタの第１極は信号入力端に接続され、第２極は前記第１スイッチングトランジスタのゲートに接続され、ゲートは第１制御端に接続されて前記第１制御信号を受信する
ことを特徴とする、請求項１に記載の走査駆動回路。
【請求項３】
さらに、第２走査線、第２制御回路及び第２スイッチング回路を備え、
前記第１走査ユニットは、第２出力端をさらに備え、第２走査信号を出力するように配置され、
前記第２制御回路は、前記第２スイッチング回路に接続され、第２制御信号の制御下で、前記第２スイッチング回路のオン／オフを制御するように配置され、及び、
前記第２走査線は、前記第２スイッチング回路がオンの時に、前記第２出力端と前記第２走査線とを電気的に接続することを実現するように、前記第２スイッチング回路を介して前記第２出力端に接続される
ことを特徴とする、請求項１または２に記載の走査駆動回路。
【請求項４】
前記第２スイッチング回路は、第２スイッチングトランジスタを備え、前記第２スイッチングトランジスタの第１極は前記第２出力端に接続され、第２極は前記第２走査線に接続され、及び、
前記第２制御回路は、第２制御トランジスタを備え、前記第２制御トランジスタの第１極は前記信号入力端に接続され、第２極は前記第２スイッチングトランジスタのゲートに接続され、ゲートは第２制御端に接続されて前記第２制御信号を受信する
ことを特徴とする、請求項３に記載の走査駆動回路。
【請求項５】
さらに、第２走査ユニット、第３走査線及び第３スイッチング回路を備え、
前記第２走査ユニットは、第３出力端を備え、第３走査信号を出力するように配置され、
前記第１制御回路は、前記第３スイッチング回路に接続され、前記第１制御信号の制御下で、前記第３スイッチング回路のオン／オフを制御するように配置され、及び、
前記第３走査線は、前記第３スイッチング回路がオンの時に、前記第３出力端と前記第３走査線とを電気的に接続することを実現するように、前記第３スイッチング回路を介して前記第３出力端に接続される
ことを特徴とする、請求項１ないし４のいずれか１項に記載の走査駆動回路。
【請求項６】
前記第１走査線と前記第３走査線は、第１表示領域に対応し、前記第１制御信号は、前記第１表示領域の走査操作を制御することに用いられる
ことを特徴とする、請求項５に記載の走査駆動回路。
【請求項７】
前記第１走査ユニットと前記第２走査ユニットは、カスケード接続されたシフトレジスタである
ことを特徴とする、請求項５または６に記載の走査駆動回路。
【請求項８】
さらに、第４走査線及び第４スイッチング回路を備え、
前記第２走査ユニットは、第４出力端をさらに備え、第４走査信号を出力するように配置され、
前記第２制御回路は、前記第４スイッチング回路に接続され、前記第２制御信号の制御下で、前記第４スイッチング回路のオン／オフを制御するように配置され、及び、
前記第４走査線は、前記第４スイッチング回路がオンの時に、前記第４出力端と前記第４走査線との電気的に接続することを実現するように、前記第４スイッチング回路を介して前記第４出力端に接続される
ことを特徴とする、請求項５ないし７のいずれか１項に記載の走査駆動回路。
【請求項９】
前記第２走査線と前記第４走査線は、第２表示領域に対応し、前記第２制御信号は、前記第２表示領域の走査操作を制御することに用いられる
ことを特徴とする、請求項８に記載の走査駆動回路。
【請求項１０】
さらに、第３走査ユニット、第３制御回路及び第５スイッチング回路を備え、
前記第３走査ユニットは、第５出力端を備え、前記第１走査信号と同じである第５走査信号を出力するように配置され、
前記第３制御回路は、前記第５スイッチング回路に接続され、前記第１制御信号を受信し、前記第１制御信号の制御下で、前記第５スイッチング回路のオン／オフを制御するように配置され、及び、
前記第１走査線は、前記第５スイッチング回路がオンの時に、前記第５出力端と前記第１走査線とを電気的に接続することを実現するように、前記第５スイッチング回路を介して前記第５出力端に接続される
ことを特徴とする、請求項５ないし９のいずれか１項に記載の走査駆動回路。
【請求項１１】
さらに、第５走査線、第４制御回路及び第６スイッチング回路を備え、
前記第３走査ユニットは、第６出力端をさらに備え、第６走査信号を出力するように配置され、
前記第４制御回路は、前記第６スイッチング回路に接続され、第３制御信号の制御下で、前記第６スイッチング回路のオン／オフを制御するように配置され、及び、
前記第５走査線は、前記第６スイッチング回路がオンの時に、前記第６出力端と前記第５走査線とを電気的に接続することを実現するように、前記第６スイッチング回路を介して前記第６出力端に接続される
ことを特徴とする、請求項１０に記載の走査駆動回路。
【請求項１２】
さらに、第４走査ユニット及び第７スイッチング回路を備え、
前記第４走査ユニットは、第７出力端を備え、前記第３走査信号と同じである第７走査信号を出力するように配置され、
前記第３制御回路は、前記第７スイッチング回路に接続され、前記第１制御信号の制御下で、前記第７スイッチング回路のオン／オフを制御するように配置され、及び、
前記第３走査線は、前記第７スイッチング回路がオンの時に、前記第７出力端と前記第３走査線とを電気的に接続することを実現するように、前記第７スイッチング回路を介して前記第７出力端に接続される
ことを特徴とする、請求項１０または１１に記載の走査駆動回路。
【請求項１３】
前記第３走査ユニットと前記第４走査ユニットは、カスケード接続されたシフトレジスタである
ことを特徴とする、請求項１２に記載の走査駆動回路。
【請求項１４】
さらに、第６走査線及び第８スイッチング回路を備え、
前記第４走査ユニットは、第８出力端をさらに備え、第８走査信号を出力するように配置され、
前記第４制御回路は、前記第８スイッチング回路に接続され、前記第３制御信号の制御下で、前記第８スイッチング回路のオン／オフを制御するように配置され、及び、
前記第６走査線は、前記第８スイッチング回路がオンの時に、前記第８出力端と前記第６走査線とを電気的に接続することを実現するように、前記第８スイッチング回路を介して前記第８出力端に接続される
ことを特徴とする、請求項１２または１３に記載の走査駆動回路。
【請求項１５】
前記第５走査線と前記第６走査線は、第３表示領域に対応し、前記第３制御信号は、前記第３表示領域の走査操作を制御することに用いられる
ことを特徴とする、請求項１４に記載の走査駆動回路。
【請求項１６】
表示パネル及び請求項１〜１５のいずれか１項に記載の走査駆動回路を備える
表示装置。
【請求項１７】
さらに、前記表示装置の折り畳み状態を確定するためのセンサーを備え、前記センサーは、前記表示装置の折り畳み状態に応じて、前記表示パネルの走査操作を制御するための制御信号を生成するように配置される
ことを特徴とする、請求項１６に記載の表示装置。
【請求項１８】
前記走査駆動回路は、前記表示パネルの折り畳み領域に設置される
ことを特徴とする、請求項１６または１７に記載の表示装置。
【請求項１９】
請求項８または９に記載の走査駆動回路を駆動する方法であって、
第１制御信号の制御下で、第１スイッチング回路と第３スイッチング回路をオンにするように制御することと、
第２制御信号の制御下で、第２スイッチング回路と第４スイッチング回路をオンにするように制御することと、
第１走査タイミングにおいて、
第１走査信号と第２走査信号を生成すること、及び、
前記第１スイッチング回路を介して第１走査線に前記第１走査信号を出力し、前記第２スイッチング回路を介して第２走査線に前記第２走査信号を出力することと、
第２走査タイミングにおいて、
第３走査信号と第４走査信号を生成すること、及び、
前記第３スイッチング回路を介して第３走査線に前記第３走査信号を出力し、前記第４スイッチング回路を介して第４走査線に前記第４走査信号を出力することと
を含むことを特徴とする、方法。
【請求項２０】
請求項１４または１５に記載の走査駆動回路を駆動する方法であって、
第１制御信号の制御下で、第１スイッチング回路、第３スイッチング回路、第５スイッチング回路及び第７スイッチング回路をオンにするように制御することと、
第２制御信号の制御下で、第２スイッチング回路及び第４スイッチング回路をオンにするように制御することと、
第３制御信号の制御下で、第６スイッチング回路及び第８スイッチング回路をオンにするように制御することと、
第１走査タイミングにおいて、
第１走査信号、第２走査信号、第５走査信号及び第６走査信号を生成すること、及び、
前記第１スイッチング回路を介して第１走査線に前記第１走査信号を出力し、前記第５スイッチング回路を介して第１走査線に前記第５走査信号を出力し、前記第２スイッチング回路を介して第２走査線に前記第２走査信号を出力し、前記第６スイッチング回路を介して第５走査線に前記第６走査信号を出力することと、
第２走査タイミングにおいて、
第３走査信号、第４走査信号、第７走査信号及び第８走査信号を生成すること、及び、
前記第３スイッチング回路を介して第３走査線に前記第３走査信号を出力し、前記第７スイッチング回路を介して第３走査線に前記第７走査信号を出力し、前記第４スイッチング回路を介して第４走査線に前記第４走査信号を出力し、前記第８スイッチング回路を介して第６走査線に前記第８走査信号を出力することと
を含むことを特徴とする、方法。
【発明の詳細な説明】
【技術分野】
【０００１】
関連出願の相互参照
本願発明は、２０１７年０８月０８日に出願した中国特許出願第２０１７１０６７２１９０.５号の優先権を主張し、上記中国特許出願の内容は引用により本明細書の一部として組み込む。
【０００２】
本開示の実施例は、走査駆動回路及びその駆動方法、表示装置に関する。
【背景技術】
【０００３】
折り畳み式表示技術は、表示技術分野の新たな人気技術として、表示装置がもはやスペースの制約を受けないようにする。しかし、現状では、折り畳み式表示装置には、折り畳み表示モードの単一、領域ごとに表示することによる高消費電力化などの技術的問題が多く、本分野における厄介な問題となっている。
【発明の概要】
【発明が解決しようとする課題】
【０００４】
本開示の少なくとも一実施例は、第１走査ユニット、第１走査線、第１制御回路及び第１スイッチング回路を備える走査駆動回路を提供する。前記第１走査ユニットは、第１出力端を備え、第１走査信号を出力するように配置される。前記第１制御回路は、前記第１スイッチング回路に接続され、第１制御信号の制御下で、前記第１スイッチング回路のオン／オフを制御するように配置される。前記第１走査線は、前記第１スイッチング回路がオンの時に、前記第１出力端と前記第１走査線とを電気的に接続することを実現するように、前記第１スイッチング回路を介して前記第１出力端に接続される。
【０００５】
例えば、本開示の一実施例で提供される走査駆動回路において、前記第１スイッチング回路は、第１スイッチングトランジスタを備える。前記第１スイッチングトランジスタの第１極は前記第１出力端に接続され、第２極は前記第１走査線に接続される。前記第１制御回路は、第１制御トランジスタを備え、第１極は信号入力端に接続され、第２極は前記第１スイッチングトランジスタのゲートに接続され、ゲートは第１制御端に接続されて前記第１制御信号を受信する。
【０００６】
例えば、本開示の一実施例で提供される走査駆動回路は、第２走査線、第２制御回路及び第２スイッチング回路をさらに備える。前記第１走査ユニットは第２出力端をさらに備え、第２走査信号を出力するように配置される。前記第２制御回路は、前記第２スイッチング回路に接続され、第２制御信号の制御下で、前記第２スイッチング回路のオン／オフを制御するように配置される。前記第２走査線は、前記第２スイッチング回路がオンの時に、前記第２出力端と前記第２走査線とを電気的に接続することを実現するように、前記第２スイッチング回路を介して前記第２出力端に接続される。
【０００７】
例えば、本開示の一実施例で提供される走査駆動回路において、前記第２スイッチング回路は、第２スイッチングトランジスタを備える。前記第２スイッチングトランジスタの第１極は前記第２出力端に接続され、第２極は前記第２走査線に接続される。前記第２制御回路は、第２制御トランジスタを備え、第１極は前記信号入力端に接続され、第２極は前記第２スイッチングトランジスタのゲートに接続され、ゲートは、第２制御端に接続されて前記第２制御信号を受信する。
【０００８】
例えば、本開示の一実施例で提供される走査駆動回路は、第２走査ユニット、第３走査線及び第３スイッチング回路をさらに備える。前記第２走査ユニットは、第３出力端を備え、第３走査信号を出力するように配置される。前記第１制御回路は、前記第３スイッチング回路に接続され、前記第１制御信号の制御下で、前記第３スイッチング回路のオン／オフを制御するように配置される。前記第３走査線は、前記第３スイッチング回路がオンの時に、前記第３出力端と前記第３走査線とを電気的に接続することを実現するように、前記第３スイッチング回路を介して前記第３出力端に接続される。
【０００９】
例えば、本開示の一実施例で提供される走査駆動回路において、前記第１走査線と前記第３走査線は、第１表示領域に対応し、前記第１制御信号は、前記第１表示領域の走査操作を制御することに用いられる。
【００１０】
例えば、本開示の一実施例で提供される走査駆動回路において、前記第１走査ユニットと前記第２走査ユニットは、カスケード接続されたシフトレジスタである。
【００１１】
例えば、本開示の一実施例で提供される走査駆動回路は、第４走査線及び第４スイッチング回路をさらに備える。前記第２走査ユニットは、第４出力端をさらに備え、第４走査信号を出力するように配置される。前記第２制御回路は、前記第４スイッチング回路に接続され、前記第２制御信号の制御下で、前記第４スイッチング回路のオン／オフを制御するように配置される。前記第４走査線は、前記第４スイッチング回路がオンの時に、前記第４出力端と前記第４走査線との電気的に接続することを実現するように、前記第４スイッチング回路を介して前記第４出力端に接続される。
【００１２】
例えば、本開示の一実施例で提供される走査駆動回路において、前記第２走査線と前記第４走査線は、第２表示領域に対応し、前記第２制御信号は、前記第２表示領域の走査操作を制御することに用いられる。
【００１３】
例えば、本開示の一実施例で提供される走査駆動回路は、第３走査ユニット、第３制御回路及び第５スイッチング回路をさらに備える。前記第３走査ユニットは、第５出力端を備え、前記第１走査信号と同じである第５走査信号を出力するように配置される。前記第３制御回路は、前記第５スイッチング回路に接続され、前記第１制御信号を受信し、前記第１制御信号の制御下で、前記第５スイッチング回路のオン／オフを制御するように配置される。前記第１走査線は、前記第５スイッチング回路がオンの時に、前記第５出力端と前記第１走査線とを電気的に接続することを実現するように、前記第５スイッチング回路を介して前記第５出力端に接続される。
【００１４】
例えば、本開示の一実施例で提供される走査駆動回路は、第５走査線、第４制御回路及び第６スイッチング回路をさらに備える。前記第３走査ユニットは、第６出力端をさらに備え、第６走査信号を出力するように配置される。前記第４制御回路は、前記第６スイッチング回路に接続され、第３制御信号の制御下で、前記第６スイッチング回路のオン／オフを制御するように配置される。前記第５走査線は、前記第６スイッチング回路がオンの時に、前記第６出力端と前記第５走査線とを電気的に接続することを実現するように、前記第６スイッチング回路を介して前記第６出力端に接続される。
【００１５】
例えば、本開示の一実施例で提供される走査駆動回路は、第４走査ユニット及び第７スイッチング回路をさらに備える。前記第４走査ユニットは、第７出力端を備え、前記第３走査信号と同じである第７走査信号を出力するように配置される。前記第３制御回路は、前記第７スイッチング回路に接続され、前記第１制御信号の制御下で、前記第７スイッチング回路のオン／オフを制御するように配置される。前記第３走査線は、前記第７スイッチング回路がオンの時に、前記第７出力端と前記第３走査線とを電気的に接続することを実現するように、前記第７スイッチング回路を介して前記第７出力端に接続される。
【００１６】
例えば、本開示の一実施例で提供される走査駆動回路において、前記第３走査ユニットと前記第４走査ユニットは、カスケード接続されたシフトレジスタである。
【００１７】
例えば、本開示の一実施例で提供される走査駆動回路は、第６走査線及び第８スイッチング回路をさらに備える。前記第４走査ユニットは、第８出力端をさらに備え、第８走査信号を出力するように配置される。前記第４制御回路は、前記第８スイッチング回路に接続され、前記第３制御信号の制御下で、前記第８スイッチング回路のオン／オフを制御するように配置される。前記第６走査線は、前記第８スイッチング回路がオンの時に、前記第８出力端と前記第６走査線とを電気的に接続することを実現するように、前記第８スイッチング回路を介して前記第８出力端に接続される。
【００１８】
例えば、本開示の一実施例で提供される走査駆動回路において、前記第５走査線と前記第６走査線は、第３表示領域に対応し、前記第３制御信号は、前記第３表示領域の走査操作を制御することに用いられる。
【００１９】
本開示の少なくとも一実施例は、本開示のいずれか一つの実施例に記載した走査駆動回路を備える表示装置も提供する。
【００２０】
例えば、本開示の一実施例で提供される表示装置は、前記表示装置の折り畳み状態を確定するためのセンサーをさらに備える。前記センサーは、前記表示装置の折り畳み状態に応じて、前記表示パネルの走査操作を制御するための制御信号を生成するように配置される。
【００２１】
例えば、本開示の一実施例で提供される表示装置において、前記走査駆動回路は、前記表示パネルの折り畳み領域に設置される。
【００２２】
本開示の少なくとも一実施例は、さらに、走査駆動回路を駆動する方法を提供する。前記方法は、第１制御信号の制御下で、第１スイッチング回路と第３スイッチング回路をオンにするように制御することと、第２制御信号の制御下で、第２スイッチング回路と第４スイッチング回路をオンにするように制御することと、第１走査タイミングにおいて、第１走査信号と第２走査信号を生成すること、及び、前記第１スイッチング回路を介して第１走査線に前記第１走査信号を出力すること、並びに前記第２スイッチング回路を介して第２走査線に前記第２走査信号を出力することと、第２走査タイミングにおいて、第３走査信号と第４走査信号を生成すること、及び、前記第３スイッチング回路を介して第３走査線に前記第３走査信号を出力すること、並びに前記第４スイッチング回路を介して第４走査線に前記第４走査信号を出力することと、を含む。
【００２３】
本開示の少なくとも一実施例は、さらに、走査駆動回路を駆動する方法を提供する。前記方法は、第１制御信号の制御下で、第１スイッチング回路、第３スイッチング回路、第５スイッチング回路及び第７スイッチング回路をオンにするように制御することと、第２制御信号の制御下で、第２スイッチング回路及び第４スイッチング回路をオンにするように制御することと、第３制御信号の制御下で、第６スイッチング回路及び第８スイッチング回路をオンにするように制御することと、第１走査タイミングにおいて、第１走査信号、第２走査信号、第５走査信号及び第６走査信号を生成すること、及び、前記第１スイッチング回路を介して第１走査線に前記第１走査信号を出力し、前記第５スイッチング回路を介して第１走査線に前記第５走査信号を出力し、前記第２スイッチング回路を介して第２走査線に前記第２走査信号を出力すること、並びに前記第６スイッチング回路を介して第５走査線に前記第６走査信号を出力することと、第２走査タイミングにおいて、第３走査信号、第４走査信号、第７走査信号及び第８走査信号を生成すること、及び、前記第３スイッチング回路を介して第３走査線に前記第３走査信号を出力し、前記第７スイッチング回路を介して第３走査線に前記第７走査信号を出力し、前記第４スイッチング回路を介して第４走査線に前記第４走査信号を出力すること、並びに前記第８スイッチング回路を介して第６走査線に前記第８走査信号を出力することと、を含む。
【図面の簡単な説明】
【００２４】
本開示の実施例をより明確に説明するために、以下、実施例の図面について簡単に説明する。以下に説明する図面は、本開示のいくつかの実施例に過ぎず、本開示を限定するのではないことは明らかであろう。
【００２５】
【図１】本開示の一実施例に係る一例示で提供される走査駆動回路の模式図である。
【図２】図１における走査駆動回路に対応する回路図の例示である。
【図３】本開示の一実施例に係る他の例示で提供される走査駆動回路の模式図である。
【図４】図３における走査駆動回路に対応する回路図の例示である。
【図５】本開示の一実施例のさらに他の例示で提供される走査駆動回路の模式図である。
【図６】図５における走査駆動回路に対応する回路図の例示である。
【図７】複数の走査ユニットのカスケード接続の模式図である。
【図８】本開示の一実施例のまた他の例示で提供される走査駆動回路の模式図である。
【図９】図８における走査駆動回路に対応する回路図の例示である。
【図１０】本開示の一実施例のまた他の例示で提供される走査駆動回路の模式図である。
【図１１】図１０における走査駆動回路に対応する回路図の例示である。
【図１２】本開示の一実施例で提供される表示装置の模式図１である。
【図１３】本開示の一実施例で提供される表示装置の模式図２である。
【図１４】本開示の一実施例で提供される駆動方法のフローチャートである。
【図１５】本開示の一実施例で提供される他の駆動方法のフローチャートである。
【発明を実施するための形態】
【００２６】
本開示実施例の目的、技術方式、及び利点をより明確に説明するために、以下、図面に合わせて本開示実施例における技術方式を明確的に、かつ、完全に説明する。記載された実施例は本開示の全部の実施例ではなく、ただ一部の実施例であることは明らかであろう。本開示の実施例に基づいて、当業者が創造的な労力を払うことなく獲得される全ての他の実施例は本開示の保護範囲内にある。
【００２７】
別途定義しない限り、ここで使用される技術用語または科学用語は、当業者が理解する通常の意味である。本開示において使用される「第１」、「第２」および類似する単語は、順序、数量または重要性を示すものではなく、異なる構成要素を区別することに用いられる。
【００２８】
同様に、「一つ」、「一」または「前記」などの類似する単語は、数量を限定する意味ではなく、少なくとも一つが存在することを意味する。「含む」または「備える」などの類似する単語は、単語の前に現れる要素またはオブジェクトには、他の要素またはオブジェクトを除外せず、後に列挙される要素またはオブジェクトおよびそれらの同等物が含まれることを意味する。「接続」または「繋がる」などの類似する単語は、物理的または機械的接続に限定されず、直接的または間接的な電気的接続を含むことができる。「上」、「下」、「左」、「右」などは、相対的な位置関係を示すためだけで用いられ、説明される対象の絶対位置が変更された場合には、相対的な位置関係もそれに応じて変化する可能性がある。
【００２９】
本開示の少なくとも一実施例は、走査駆動回路を提供する。前記走査駆動回路は、第１走査ユニット、第１走査線、第１制御回路及び第１スイッチング回路を備える。前記第１走査ユニットは、第１出力端を備え、第１走査信号を出力するように配置される。前記第１制御回路は、前記第１スイッチング回路に接続され、第１制御信号の制御下で、前記第１スイッチング回路のオン／オフを制御するように配置される。前記第１走査線は、前記第１スイッチング回路がオンの時に、前記第１出力端と前記第１走査線とを電気的に接続することを実現するように、前記第１スイッチング回路を介して前記第１出力端に接続される。本開示の少なくとも一実施例は、上述走査駆動回路に対応する駆動方法及び表示装置をさらに提供する。
【００３０】
従来の折り畳み式表示装置は、折り畳み表示モードの単一、領域ごとに表示する時に無駄な消費電力が生じるなどの問題がある。本開示の実施例で提供される走査駆動回路及びその駆動方法、表示装置は、制御信号（例えば、センサーによって生成される制御信号）に応じて、表示装置の複数の表示領域の走査操作をそれぞれ制御することにより、需要に応じて領域ごとに表示することを実現し、よって消費電力を低減することができる。
【００３１】
以下、添付図面に合わせて、本開示の実施例について詳細に説明する。
【００３２】
本開示の実施例の例示は、図１に示すように、走査駆動回路１００を提供する。走査駆動回路１００は、第１走査ユニット１１、第１走査線１４、第１制御回路１３及び第１スイッチング回路１２を備える。
【００３３】
第１走査ユニット１１は、第１出力端１５を備え、第１走査信号を出力するように配置される。第１制御回路１３は、第１スイッチング回路１２に接続され、第１制御信号の制御下で、第１スイッチング回路１２のオン／オフを制御するように配置される。第１走査線１４は、第１スイッチング回路１２がオンの時に、第１出力端１５と第１走査線１４とを電気的に接続することを実現するように、第１スイッチング回路１２を介して第１出力端１５に接続される。
【００３４】
例えば、走査駆動回路１００が表示装置の走査駆動に使用される場合、第１走査線１４は、表示装置の第１表示領域１６における複数の画素ユニットに接続されることができる。例えば、第１走査線１４は、第１表示領域１６の１行の画素ユニットに接続されて前記行の画素ユニットを駆動して表示機能を実現することができる。
【００３５】
例えば、第１制御信号は、第１表示領域１６の表示を制御することに用いられるできる。例えば、第１制御信号は、図１２のセンサー３００によって生成されることができる。
【００３６】
本開示の実施例において、表示が必要な場合、第１制御回路は、第１スイッチング回路をオンにするように制御する。第１走査ユニットは、第１表示領域に第１走査信号を出力し、第１表示領域における対応する画素ユニットを駆動して表示を実現する。表示が不要な場合、第１制御回路は、第１スイッチング回路をオフにするように制御することで、第１走査ユニットから出力される第１走査信号は、第１表示領域まで伝送できず、従って第１表示領域における対応する画素ユニットを駆動して表示を実現することができず、よって消費電力を低減することができる。
【００３７】
例えば、図２に示すように、一例示において、第１スイッチング回路１２は、第１スイッチングトランジスタを備え、第１スイッチングトランジスタの第１極は第１出力端１５に接続され、第２極は第１走査線１４に接続される。
【００３８】
第１制御回路１３は、第１制御トランジスタを備え、第１制御トランジスタの第１極は信号入力端ＶＤＤに接続される。例えば、信号入力端ＶＤＤは、電源電圧を入力することができる。第１制御トランジスタの第２極は第１スイッチングトランジスタのゲートに接続され、ゲートは第１制御端Ｃ１に接続されて第１制御信号を受信する。例えば、第１制御端Ｃ１は、図１２のセンサー３００に接続されて第１制御信号を受信することができる。
【００３９】
注意すべきのは、いくつかの実施例において、第１制御回路１３は、第１制御端Ｃ１のみを備える（第１制御トランジスタを備えない）ことができる。前記第１制御端Ｃ１は、第１スイッチングトランジスタのゲートとセンサー３００との直接接続を実現することに用いられ、センサー３００によって生成された第１制御信号を第１スイッチングトランジスタのゲートに直接入力して第１スイッチングトランジスタのオン／オフを制御することを実現する。
【００４０】
説明すべきのは、本開示の実施例で使用されるトランジスタは、いずれも薄膜トランジスタまたは電界効果トランジスタまたは他の特性が同じであるスイッチング素子であってもよい。ここで使用されるトランジスタのソース、ドレインは、構造的には対称であることができるため、そのソース、ドレインは、構造的には違いはない。本開示の実施例において、トランジスタのゲート以外の二つの極を区別するために、直接に一方の極を第１極とし、他方の極を第２極として説明するため、本開示の実施例における全てまたは一部のトランジスタの第１極及び第２極は、需要に応じて互換可能である。例えば、本開示の実施例における前記トランジスタの第１極はソースであり、第２極はドレインであってもよいし、または、トランジスタの第１極はドレインであり、第２極はソースであってもよい。
【００４１】
なお、トランジスタの特性に応じて、Ｎ型トランジスタとＰ型トランジスタに分けることができる。トランジスタがＰ型トランジスタである場合、ターンオン電圧は低レベル電圧（例えば、０Ｖ、−５Ｖ、−１０Ｖまたは他の適切な電圧）であり、ターンオフ電圧は高レベル電圧（例えば、５Ｖ、１０Ｖまたは他の適切な電圧）である。トランジスタがＮ型トランジスタである場合、ターンオン電圧は高レベル電圧（例えば、５Ｖ、１０Ｖまたは他の適切な電圧）であり、ターンオフ電圧は低レベル電圧（例えば、０Ｖ、−５Ｖ、−１０Ｖまたは他の適切な電圧）である。本開示の実施例におけるトランジスタは、全てＮ型トランジスタを例として説明する。本開示の実施形態についての説明及び教示に基づいて、当業者は、創造的な労力を払うことなしに、本開示の実施例は、Ｐ型トランジスタまたはＮ型トランジスタとＰ型トランジスタとの組合せの実施形態を容易に想到できる。従って、これらの実施形態も本開示の保護範囲内にある。
【００４２】
例えば、本開示の実施例の他の例示において、図３に示すように、走査駆動回路１００は、さらに、第２走査線２４、第２制御回路２３及び第２スイッチング回路２２を備えることができる。第１走査ユニット１１は、第２出力端２５をさらに備え、第２走査信号を出力するように配置される。第２制御回路２３は、第２スイッチング２２回路に接続され、第２制御信号の制御下で、第２スイッチング回路２２のオン／オフを制御するように配置される。第２走査線２４は、第２スイッチング回路２２がオンの時に、第２出力端２５と第２走査線２４とを電気的に接続することを実現するように、第２スイッチング回路２２を介して第２出力端２５に接続される。
【００４３】
例えば、第２走査線２４は、表示装置の第２表示領域２６における複数の画素ユニットに接続されることができる。例えば、第２走査線２４は、第２表示領域２６におけるある行の画素ユニットに接続されて前記行の画素ユニットを駆動して表示機能を実現することができる。
【００４４】
第１表示領域１６の表示が必要な場合、第１制御回路１３は、第１スイッチング回路１２をオンにするように制御し、第１走査ユニット１１は、第１表示領域１６に第１走査信号を出力し、第１表示領域１６における対応する画素ユニットを駆動して表示を実現する。第２表示領域２６の表示が必要な場合、第２制御回路２３は、第２スイッチング回路２２をオンにするように制御する。第１走査ユニット１１は、第２表示領域２６に第２走査信号を出力し、第２表示領域２６における対応する画素ユニットを駆動して表示を実現する。従って、需要に応じて領域ごとに表示することができ、消費電力を低減することができる。例えば、第１表示領域１６と第２表示領域２６は、別々に独立的に表示してもよいし、同時に表示してもよい。
【００４５】
例えば、第２制御信号は、第２表示領域２６の表示を制御することができる。例えば、第２制御信号は、図１２のセンサー３００によって生成されることができる。
【００４６】
例えば、一例示において、図４に示すように、第２スイッチング回路２２は、第２スイッチングトランジスタを備える。第２スイッチングトランジスタの第１極は第２出力端２５に接続され、第２極は第２走査線２４に接続される。
【００４７】
第２制御回路２３は、第２制御トランジスタを備える。第２スイッチングトランジスタの第１極は信号入力端ＶＤＤに接続され、第２極は第２スイッチングトランジスタのゲートに接続され、ゲートは第２制御端Ｃ２に接続されて第２制御信号を受信する。例えば、第２制御端Ｃ２は、センサー３００に接続されて第２制御信号を受信することができる。
【００４８】
注意すべきのは、いくつかの実施例において、第２制御回路２３は、第２制御端Ｃ２のみを備える（第２制御トランジスタを備えない）こともできる。前記第２制御端Ｃ２は、第２スイッチングトランジスタのゲートとセンサー３００との直接接続を実現することに用いられ、センサー３００によって生成された第２制御信号を第２スイッチングトランジスタのゲートに直接に入力して第２スイッチングトランジスタのオン／オフを制御することを実現する。
【００４９】
例えば、本開示の実施例の他の例示において、図５に示すように、本例示によって提供される走査駆動回路１００は、さらに、第２走査ユニット２１、第３走査線３４及び第３スイッチング回路３２を備えることができる。
【００５０】
第２走査ユニット２１は、第３出力端３５を備え、第３走査信号を出力するように配置される。第１制御回路１３は、第３スイッチング回路３２に接続され、第１制御信号の制御下で、第３スイッチング回路３２のオン／オフを制御するように配置される。第３走査線３４は、第３スイッチング回路３２がオンの時に、第３出力端３５と第３走査線３４とを電気的に接続することを実現するように、第３スイッチング回路３２を介して第３出力端３５に接続される。
【００５１】
例えば、第３走査線３４は、表示装置の第１表示領域１６における複数の画素ユニットに接続されることができる。例えば、第３走査線３４は、第１表示領域１６のある行の画素ユニットに接続されて前記行の画素ユニットを駆動して表示機能を実現することができる。
【００５２】
例えば、走査駆動回路１００は、さらに、第４走査線４４及び第４スイッチング回路４２を備えることができる。第２走査ユニット２１は、第４出力端４５をさらに備え、第４走査信号を出力するように配置される。第２制御回路２３は、第４スイッチング回路４２に接続され、第２制御信号の制御下で、第４スイッチング回路４２のオン／オフを制御するように配置される。第４走査線４４は、第４スイッチング回路４２がオンの時に、第４出力端４５と第４走査線４４との電気的に接続することを実現するように、第４スイッチング回路４２を介して第４出力端４５に接続される。
【００５３】
例えば、図６に示すように、第３スイッチング回路３２は、トランジスタによって実現されることができ、その設置方法は、第１スイッチング回路１２を参照すればよい。第４スイッチング回路４２は、トランジスタによって実現されることができ、その設置方法は、第２スイッチング回路２２を参照すればよい。ここで重複な説明を省略する。
【００５４】
例えば、図５及び図６に示すように、第１走査線１４及び第３走査線３４は、第１表示領域１６に対応し、即ち、第１走査線１４及び第３走査線３４は、第１表示領域１６における両行の画素ユニットにそれぞれ接続され、それぞれ対応する一行の画素ユニットを駆動して表示機能を実現する。第２走査線２４及び第４走査線４４は、第２表示領域２６に対応し、即ち、第２走査線２４及び第４走査線４４は、第２表示領域２６における両行の画素ユニットにそれぞれ接続され、それぞれ対応する一行の画素ユニットを駆動して表示機能を実現する。
【００５５】
例えば、第１表示領域１６のみが表示操作を行う場合、第１走査ユニット１１は、第１走査タイミングで第１走査信号を出力し、第２走査ユニット２１は、第２走査タイミングで第３走査信号う出力する。第１制御回路１３は、第１制御信号の制御下で、第１スイッチング回路１２及び第３スイッチング回路３２のターンオンを制御することで、第１走査信号及び第３走査信号がそれぞれ第１走査線１４及び第３走査線３４を介して第１表示領域１６に伝送される。走査回路１００が複数のカスケード接続された走査ユニットを備える場合、その動作原理は同様であるため、ここでその説明を省略する。従って、第１表示領域１６のプログレッシブ（ｐｒｏｇｒｅｓｓｉｖｅ）走査表示を実現することができる。
【００５６】
第２表示領域２６のみが表示操作を行う場合、第１走査ユニット１１は、第１走査タイミングで第２走査信号を出力し、第２走査ユニット２１は、第２走査タイミングで第４走査信号う出力する。第２制御回路２３は、第２制御信号の制御下で、第２スイッチング回路２２及び第４スイッチング回路４２のターンオンを制御することで、第２走査信号及び第４走査信号がそれぞれ第２走査線２４及び第４走査線４４を介して第２表示領域２６に伝送される。走査回路１００が複数のカスケード接続された走査ユニットを備える場合、その動作原理は同様であるため、ここでその説明を省略する。従って、第２表示領域２６のプログレッシブ（ｐｒｏｇｒｅｓｓｉｖｅ）走査表示を実現することができる。
【００５７】
第１表示領域１６及び第２表示領域２６が同時に表示操作を行う場合、第１走査ユニット１１は、第１走査タイミングで第１走査信号及び第２走査信号を出力し、第２走査ユニット２１は、第２走査タイミングで第３走査信号及び第４走査信号を出力する。第１制御回路１３は、第１制御信号の制御下で、第１スイッチング回路１２及び第３スイッチング回路３２のターンオンを制御することで、第２制御回路２３は、第２制御信号の制御下で、第２スイッチング回路２２及び第４スイッチング回路４２のターンオンを制御する。従って、第１走査タイミングにおいて、第１走査信号及び第２走査信号は、それぞれ第１走査線１４及び第２走査線２４を介して第１表示領域１６における１行目の画素ユニット及び第２表示領域２６における１行目の画素ユニットに伝送されることができる。第２走査タイミングにおいて、第３走査信号及び第４走査信号は、それぞれ第３走査線３４及び第４走査線４４を介して第１表示領域１６における２行目の画素ユニット及び第２表示領域２６における２行目の画素ユニットに伝送されることができる。走査回路１００が複数のカスケード接続された走査ユニットを備える場合、その動作原理は類推によって推論され、ここで繰り返して説明しない。従って、第１表示領域１６及び第２表示領域２６のプログレッシブ走査表示を同時に実現することができる。
【００５８】
説明すべきのは、図５及び図６に示す走査駆動回路１００において、より多くの走査ユニット及びそれに対応するスイッチング回路及び走査線を備えることができる。本開示の実施例はこれに限定されるものではなく、走査ユニット及びそれに対応するスイッチング回路及び走査線の数は、表示領域のサイズに応じて具体的に設置されることができる。
【００５９】
例えば、一つの例において、図７に示すように、第１走査ユニット１１及び第２走査ユニット２１は、カスケード接続されたシフトレジスタＧ１である。走査駆動回路が複数の走査ユニットを備える場合、複数の走査ユニットは、カスケード接続された複数のシフトレジスタＧ１であってもよいことは理解しやすいである。カスケード接続された複数のシフトレジスタＧ１は、薄膜トランジスタ（ＴＦＴ）と同じ製造プロセスを使用してアレイ基板に直接に集積されてプログレッシブ走査駆動起動を実現することができる。本開示は、ここで走査ユニットの数（即ち、シフトレジスタの数）を限定しない。
【００６０】
例えば、図７に示すように、１段目及び最後段以外、本段のシフトレジスタＧ１の入力端ＩＮは、直前の１段のシフトレジスタＧ１の出力端ＯＵＴに接続される。１段目及び最後段以外、本段のシフトレジスタＧ１のリセット端ＲＥは、直後の１段のシフトレジスタＧ１の出力端ＯＵＴは接続される。１段目のシフトレジスタＧ１の入力端ＩＮは、トリガ信号ＳＴＶを受信するように配置される。最後段のシフトレジスタＧ１のリセット端ＲＥは、リセット信号ＲＳＴを受信するように配置される。
【００６１】
例えば、図７に示すように、各段のシフトレジスタＧ１は、クロック信号ＣＬＫに応じて対応する走査信号を出力するように配置される。クロック信号ＣＬＫは、異なるクロック信号ＣＬＫ１とクロック信号ＣＬＫ２を備える。
【００６２】
例えば、図７に示すように、走査駆動回路は、さらに、タイミングコントローラ６００を備える。タイミングコントローラ６００は、各段のシフトレジスタＧ１にクロック信号ＣＬＫを提供するように配置される。タイミングコントローラ６００は、トリガ信号ＳＴＶ及びリセット信号ＲＳＴを提供するように配置されてもよい。
【００６３】
説明すべきのは、本開示の実施例は、図７に示すことを含むが、これに限らない。タイミングコントローラ６００は、四つのクロック信号線を介して各段のシフトレジスタＧ１に四つの異なるクロック信号を提供するように配置されてもよい。本開示の実施例はこれに限定するものではない。
【００６４】
例えば、本開示の実施例の他の例示において、図８及び図９に示すように（図９は、図８の回路図の例示である）、走査駆動回路は、走査駆動回路１００ａ及び走査駆動回路１００ｂを備える。走査駆動回路１００ａは、図５及び図６における走査駆動回路１００と同様であるため、ここでその説明を省略する。以下、走査駆動回路１００ｂについて詳細に説明する。
【００６５】
例えば、図８に示すように、走査駆動回路１００ｂは、第３走査ユニット３１、第３制御回路３３及び第５スイッチング回路５２を備える。第３走査ユニット３１は、第５出力端５５を備え、第５走査信号を出力するように配置される。第５走査信号は、第１走査信号と同じであり、同じ走査線（例えば、第１走査線）の両側駆動に用いられる。第３制御回路３３は、第５スイッチング回路５２に接続され、第１制御信号を受信して第１制御信号の制御下で第５スイッチング回路５２のオン／オフを制御するように配置される。第１走査線１４は、第５スイッチング回路５２がオンの時に、第５出力端５５と第１走査線１４とを電気的に接続することを実現するように、第５スイッチング回路５２を介して第５出力端５５に接続される。
【００６６】
例えば、図８に示すように、走査駆動回路１００ｂは、さらに、第５走査線５４、第４制御回路４３及び第６スイッチング回路６２を備える。第３走査ユニット３１は第６出力端６５をさらに備え、第６走査信号を出力するように配置される。第４制御回路４３は、第６スイッチング回路６２に接続され、第３制御信号の制御下で、第６スイッチング回路６２のオン／オフを制御するように配置される。第５走査線５４は、第６スイッチング回路６２がオンの時に、第６出力端６５と第５走査線５４とを電気的に接続することを実現するように、第６スイッチング回路６２を介して第６出力端６５に接続される。
【００６７】
例えば、図８に示すように、走査駆動回路１００ｂは、さらに、第４走査ユニット４１及び第７スイッチング回路７２を備える。第４走査ユニット４１は第７出力端７５を備え、第３走査信号と同じである第７走査信号を出力するように配置される。第３制御回路３３は、第７スイッチング回路７２に接続され、第１制御信号の制御下で、第７スイッチング回路７２のオン／オフを制御するように配置される。第３走査線３４は、第７スイッチング回路７２がオンの時に、第７出力端７５と第３走査線３４とを電気的に接続することを実現するように、第７スイッチング回路７２を介して第７出力端７５に接続される。
【００６８】
例えば、図８に示すように、さらに、走査駆動回路１００ｂは、第６走査線６４及び第８スイッチング回路８２を備える。第４走査ユニット４１は、第８出力端８５をさらに備え、第８走査信号を出力するように配置される。第４制御回路４３は、第８スイッチング回路８２に接続され、第３制御信号の制御下で、第８スイッチング回路６４のオン／オフを制御するように配置される。第６走査線６４は、第８スイッチング回路８２がオンの時に、第８出力端８５と第６走査線６４とを電気的に接続することを実現するように、第８スイッチング回路８２を介して第８出力端８５に接続される。
【００６９】
例えば、図９に示すように、走査駆動回路１００ａと同様に、走査駆動回路１００ｂにおける第５スイッチング回路５２、第６スイッチング回路６２、第７スイッチング回路７２及び第８スイッチング回路８２は、ぞれぞれ第５スイッチングトランジスタ、第６スイッチングトランジスタ、第７スイッチングトランジスタ及び第８スイッチングトランジスタを備えることができる。走査駆動回路１００ｂにおける各スイッチングトランジスタの設置方法は、走査駆動回路１００ａと同様するため、ここでその説明を省略する。
【００７０】
例えば、図９に示すように、第３制御回路３３は第３制御トランジスタを備える。第３制御トランジスタの第１極は信号入力端ＶＤＤに接続され、第２極は第５スイッチングトランジスタのゲート及び第７スイッチングトランジスタのゲートに接続され、ゲートは第３制御端Ｃ３に接続されて第１制御信号を受信する。例えば、第３制御端Ｃ３は、センサー３００に接続されて第１制御信号を受信することができる。
【００７１】
注意すべきのは、いくつかの実施例において、第３制御回路３３は、第３制御端Ｃ３のみを備える（第３制御トランジスタを備えない）ことができる。前記第３制御端Ｃ３は、第５スイッチングトランジスタのゲート及び第７スイッチングトランジスタのゲートとセンサー３００との直接接続を実現するように用いられ、センサー３００によって生成された第１制御信号を第５スイッチングトランジスタのゲート及び第７スイッチングトランジスタのゲートに直接入力して、第５スイッチングトランジスタ及び第７スイッチングトランジスタのオン／オフを制御することを実現する。
【００７２】
例えば、図９に示すように、第４制御回路４３は、第４制御トランジスタを備える。第４制御トランジスタの第１極は信号入力端ＶＤＤに接続され、第２極は第６スイッチングトランジスタのゲート及び第８スイッチングトランジスタのゲートに接続され、ゲートは第４制御端Ｃ４に接続されて第３制御信号を受信する。例えば、第４制御端Ｃ４は、センサー３００に接続されて第３制御信号を受信することができる。
【００７３】
注意すべきのは、いくつかの実施例において、第４制御回路４３は、第４制御端Ｃ４のみを備える（第４制御トランジスタを備えない）ことができる。前記第４制御端Ｃ４は、第６スイッチングトランジスタのゲート及び第８スイッチングトランジスタのゲートとセンサー３００との直接接続を実現するように用いられ、センサー３００によって生成された第３制御信号を第６スイッチングトランジスタのゲート及び第８スイッチングトランジスタのゲートに直接入力して第６スイッチングトランジスタ及び第８スイッチングトランジスタのオン／オフを制御することを実現する。
【００７４】
例えば、第３制御信号は、第３表示領域３６の表示を制御することができる。例えば、第３制御信号は、図１２におけるセンサー３００によって生成されることができる。
【００７５】
例えば、図８及び図９に示すように、第５走査線５４及び第６走査線６４は、第３表示領域３６に対応し、即ち、第５走査線５４及び第６走査線６４は、第３表示領域３６における二行の画素ユニットにそれぞれ接続され、それぞれ対応する一行の画素ユニットを駆動して表示機能を実現する。
【００７６】
例えば、第３走査ユニット３１及び第４走査ユニット４１は、第１走査タイミング及び第２走査タイミングでそれぞれ第６走査信号及び第８走査信号を出力する。第４制御回路４３は、第３制御信号の制御下で、第６スイッチング回路６２及び第８スイッチング回路８２のターンオンを制御することで、第６走査信号及び第８走査信号がそれぞれ第５走査線５４及び第６走査線６４を介して第３表示領域３６に伝送され、よって第３表示領域３６のプログレッシブ走査表示を実現することができる。
【００７７】
例えば、図８及び図９に示すように、走査駆動回路１００ａにおける第１走査ユニット１１及び第２走査ユニット２１は、カスケード接続された二つのシフトレジスタであり、走査駆動回路１００ｂにおける第３走査ユニット３１及び第４走査ユニット４１は、カスケード接続されたシフトレジスタであってもよい。カスケード接続されたシフトレジスタの設置方式は、図７に示す方法と同様であるため、ここでその説明を省略する。
【００７８】
例えば、図８及び図９に示すように、第２表示領域２６の右側及び第３表示領域３６の左側に、それぞれ走査駆動回路１００ａ及び走査駆動回路１００ｂを設置し、即ち、第２表示領域２６及び第３表示領域３６の駆動方式は、片側駆動である。第１表示領域１６の両側に、走査駆動回路１００ａ及び走査駆動回路１００ｂを設置し、即ち、第１表示領域１６の駆動方式は、両側駆動である。例えば、第１表示領域１６のサイズが比較的大きい場合、走査線上の走査信号の遅延を避けるために、両側駆動を設置する必要がある。
【００７９】
本例示において、第１制御信号の制御下で、第１表示領域１６に対して走査操作を行うように走査駆動回路１００ａ及び走査駆動回路１００ｂを制御することで、第１表示領域１６のプログレッシブ走査表示を実現する。第２制御信号の制御下で、第２表示領域２６に対して走査操作を行うように走査駆動回路１００ａを制御することで、第２表示領域２６のプログレッシブ走査表示を実現する。第３制御信号の制御下で、第３表示領域３６に対して走査操作を行うように走査駆動回路１００ｂを制御することで、第３表示領域３６のプログレッシブ走査表示を実現する。このような方式に従うことで、需要に応じて領域ごとに表示することができ、よって消費電力を低減することができる。
【００８０】
本開示の実施例において、第１表示領域１６、第２表示領域２６及び第３表示領域３６は、それぞれと独立に表示してもよいし、任意の二つが同時に表示してもよいし、または、三つが同時に表示してもよい。本開示はこれを制限しない。
【００８１】
例えば、第１表示領域１６のみが表示操作を行う場合、第１制御回路１３は、第１制御信号の制御下で、第１スイッチング回路１２及び第３スイッチング回路３２のターンオンを制御し、第３制御回路３３は、第１制御信号の制御下で、第５スイッチング回路５２及び第７スイッチング回路７２のターンオンを制御する。第１走査タイミングにおいて、第１走査ユニット１１は、第１走査信号を出力し、同時に第３走査ユニット３１は、第５走査信号を出力し、第１走査信号及び第５走査信号は、それぞれ第１走査線１４の両端を介して第１表示領域１６に伝送されることができる。第２走査タイミングにおいて、第２走査ユニット２１は、第３走査信号を出力し、同時に第４走査ユニット４１は、第７走査信号を出力し、第３走査信号及び第７走査信号は、それぞれ第３走査線３４の両端を介して第１表示領域１６に伝送されることができる。走査回路１００ａ及び１００ｂはいずれも複数のカスケード接続された走査ユニットを備える場合、その動作原理は同様であるため、ここでその説明を省略する。従って、第１表示領域１６の対応する行の画素ユニットの両側駆動表示を実現することができる。
【００８２】
第２表示領域２６のみが表示操作を行う場合、第２制御回路２３は、第２制御信号の制御下で、第２スイッチング回路２２及び第４スイッチング回路４２のターンオンを制御する。第１走査ユニット１１は、第１走査タイミングで第２走査信号を出力する。第２走査ユニット２１は、第２走査タイミングで第４走査信号を出力する。第２走査信号及び第４走査信号は、それぞれ第２走査線２４及び第４走査線４４を介して第２表示領域２６に伝送されることができる。走査回路１００ａが複数のカスケード接続された走査ユニットを備える場合、その動作原理は同様であるため、ここでその説明を省略する。従って、第２表示領域２６のプログレッシブ走査表示を実現することができる。
【００８３】
第３表示領域３６のみが表示操作を行う場合、第４制御回路４３は、第３制御信号の制御下で、第６スイッチング回路６２及び第８スイッチング回路８２のターンオンを制御する。第３走査ユニット３１は、第１走査タイミングで第６走査信号を出力する。第４走査ユニット４１は、第２走査タイミングで第８走査信号をを出力する。第６走査信号及び第８走査信号は、それぞれ第５走査線５４及び第６走査線６４を介して第３表示領域３６に伝送されることができる。走査回路１００ｂが複数のカスケード接続された走査ユニットを備える場合、その動作原理は同様であるため、ここでその説明を省略する。従って、第３表示領域３６のプログレッシブ走査表示を実現することができる。
【００８４】
第１表示領域１６及び第２表示領域２６が同時に表示操作を行う（第３表示領域３６は表示せず）場合、第１制御回路１３は、第１制御信号の制御下で、第１スイッチング回路１２及び第３スイッチング回路３２のターンオンを制御する。第３制御回路３３は、第１制御信号の制御下で、第５スイッチング回路５２及び第７スイッチング回路７２をオンにするように制御する。第２制御回路２３は、第２制御信号の制御下で、第２スイッチング回路２２及び第４スイッチング回路４２をオンにするように制御する。第１走査タイミングにおいて、第１走査ユニット１１は、第１走査信号及び第２走査信号を出力し、同時に第３走査ユニット３１は、第５走査信号出力する。第１走査信号及び第５走査信号は、それぞれ第１走査線１４の両端を介して第１表示領域１６に伝送されることができる。第２走査信号は、第２走査線２４を介して第２表示領域２６に伝送されることができる。第２走査タイミングにおいて、第２走査ユニット２１は、第３走査信号及び第４走査信号を出力し、同時に第４走査ユニット４１は、第７走査信号を出力する。第３走査信号及び第７走査信号は、それぞれ第３走査線３４の両端を介して第１表示領域１６に伝送されることができる。第４走査信号は、第４走査線４４を介して第２表示領域２６に伝送されることができる。走査回路１００ａ及び１００ｂはいずれも複数のカスケード接続された走査ユニットを備える場合、その動作原理は同様であるため、ここでその説明を省略する。従って、第１表示領域１６及び第２表示領域２６のプログレッシブ走査表示（ここで、第１表示領域１６は、両側駆動表示である）を実現することができる。
【００８５】
第１表示領域１６及び第３表示領域３６が同時に表示操作を行う（第２表示領域２６は表示せず）場合、第１制御回路１３は、第１制御信号の制御下で、第１スイッチング回路１２及び第３スイッチング回路３２をオンにするように制御する。第３制御回路３３は、第１制御信号の制御下で、第５スイッチング回路５２及び第７スイッチング回路７２をオンにするように制御する。第４制御回路４３は、第３制御信号の制御下で、第６スイッチング回路６２及び第８スイッチング回路８２をオンにするように制御する。第１走査タイミングにおいて、第１走査ユニット１１は、第１走査信号を出力し、同時に第３走査ユニット３１は、第５走査信号及び第６走査信号を出力する。第１走査信号及び第５走査信号は、それぞれ第１走査線１４の両端を介して第１表示領域１６に伝送されることができる。第６走査信号は、第５走査線５４を介して第３表示領域３６に伝送されることができる。第２走査タイミングにおいて、第２走査ユニット２１は、第３走査信号を出力し、同時に第４走査ユニット４１は、第７走査信号及び第８走査信号を出力する。第３走査信号及び第７走査信号は、それぞれ第３走査線３４の両端を介して第１表示領域１６に伝送されることができる。第８走査信号は、第６走査線６４を介して第３表示領域３６に伝送されることができる。走査回路１００ａ及び１００ｂはいずれも複数のカスケード接続された走査ユニットを備える場合、その動作原理は同様であるため、ここでその説明を省略する。従って、第１表示領域１６及び第３表示領域３６のプログレッシブ走査表示（ここで、第１表示領域１６は、両側駆動表示である）を実現することができる。
【００８６】
第１表示領域１６、第２表示領域２６及び第３表示領域３６が同時に表示操作を行う場合、第１制御回路１３は、第１制御信号の制御下で、第１スイッチング回路１２及び第３スイッチング回路３２をオンにするように制御する。第３制御回路３３は、第１制御信号の制御下で、第５スイッチング回路５２及び第７スイッチング回路７２をオンにするように制御する。第２制御回路２３は、第２制御信号の制御下で、第２スイッチング回路２２及び第４スイッチング回路４２をオンにするように制御する。第４制御回路４３は、第３制御信号の制御下で、第６スイッチング回路６２及び第８スイッチング回路８２をオンにするように制御する。第１走査タイミングにおいて、第１走査ユニット１１は、第１走査信号及び第２走査信号を出力し、同時に第３走査ユニット３１は、第５走査信号及び第６走査信号を出力する。第１走査信号及び第５走査信号は、それぞれ第１走査線１４の両端を介して第１表示領域１６に伝送されることができる。第２走査信号は、第２走査線２４を介して第２表示領域２６に伝送されることができる。第６走査信号は、第５走査線５４を介して第３表示領域３６に伝送されることができる。第２走査タイミングにおいて、第２走査ユニット２１は、第３走査信号及び第４走査信号を出力し、同時に第４走査ユニット４１は、第７走査信号及び第８走査信号を出力する。第３走査信号及び第７走査信号は、それぞれ第３走査線３４の両端を介して第１表示領域１６に伝送されることができる。第４走査信号は、第４走査線４４を介して第２表示領域２６に伝送されることができる。第８走査信号は、第６走査線６４を介して第３表示領域３６に伝送されることができる。走査回路１００ａ及び１００ｂはいずれも複数のカスケード接続された走査ユニットを備える場合、その動作原理は同様であるため、ここでその説明を省略する。従って、第１表示領域１６、第２表示領域２６及び第３表示領域３６のプログレッシブ走査表示（ここで、第１表示領域１６は、両側駆動表示である）を実現することができる。
【００８７】
説明すべきのは、図８及び図９に示す表示領域の数は、例示的なものに過ぎず、実際の状況に応じて表示領域を四つ、五つまたはさらに多くの表示領域に分けることができ、本開示の実施例は、表示領域の数を限定しない。表示領域の数に応じて、隣接する表示領域の間に走査駆動回路を設置することにより、領域ごとに表示することを実現する。図８及び図９における走査駆動回路１００ａは、複数の走査ユニットを備えることができ（図示される第１走査ユニット及び第２走査ユニットに限定されず）、走査駆動回路１００ｂは、複数の走査ユニットを備えることもできる（図示される第３走査ユニット及び第４走査ユニットに限定されず）。本開示は、ここで走査ユニットの数を制限しない。
【００８８】
例えば、本開示の実施例の他の例示において、図１０及び図１１に示すように（図１１は、図１０の回路図の例示である）、図８及び９に比べて、本例示で提供される走査駆動回路は、さらに、第１表示領域１６と第２表示領域２６との間に設置される走査駆動回路１００ａ、及び第１表示領域１６と第３表示領域３６との間に設置される走査駆動回路１００ｂを備える。
【００８９】
図１０及び図１１に示すように、本例示は、図８及び図９における例示とは、本例示における走査駆動回路１００ｂは、第１表示領域１６に接続されず、第３表示領域３６のみに接続される点で異なる。これに応じて、走査駆動回路１００ｂにおいては、第３制御回路、第５スイッチング回路及び第７スイッチング回路をさらに設置する必要がない。即ち、本例示において、第１表示領域１６の駆動方式は片側駆動である。他の走査駆動回路１００ａ及び走査駆動回路１００ｂに関する説明は、図８及び図９における対応する説明を参照すればよいため、ここでその説明を省略する。
【００９０】
説明すべきのは、本開示の実施例で提供される走査駆動回路において、全て制御回路を設置せずに制御信号をスイッチング回路に直接提供して、スイッチング回路のオン／オフを制御することができる。
【００９１】
また、本開示の実施例の図面において、走査駆動回路及び表示領域のサイズは例示的なものに過ぎず、実際のサイズ及び比率を示すものではない。
【００９２】
本開示の実施例は、さらに、表示装置５００を提供する。図１２に示すように、前記表示装置５００は、表示パネル２００及び上記したいずれか一つの走査駆動回路１００を備える。
【００９３】
例えば、図１２に示すように、表示装置５００は、さらに、センサー３００を備えることができる。例えば、表示装置５００が折り畳み表示装置である場合、センサー３００は、表示装置５００の折り畳み状態を確定することに用いられるができる。例えば、センサー３００は、複数のセンサーを備えて表示装置の折り畳み状態を感知することができる。センサー３００は、表示装置５００の折り畳み状態に応じて、表示パネル２００の走査操作を制御する制御信号を生成するように配置される。例えば、センサーは、上記した第１制御端Ｃ１、第２制御端Ｃ２、第３制御端Ｃ３及び第４制御端Ｃ４に接続して、各制御端にそれぞれ対応する制御信号を提供することができる。
【００９４】
例えば、図１３に示すように、表示パネル２００の表示領域を、第１表示領域１６、第２表示領域２６及び第３表示領域３６の三つの表示領域に分割することができ、隣接する表示領域の間は、折り畳み領域２１０及び折り畳み領域２２０である。例えば、折り畳み領域の表示パネルは、折り畳まれる時の損傷または断裂を避けるために、可撓性材料からなることができる。
【００９５】
例えば、走査駆動回路１００ａは複数のカスケード接続された走査ユニットを備え、走査駆動回路１００ｂも複数のカスケード接続された走査ユニットを備える。各走査ユニット、スイッチング回路、制御回路及び対応する走査線の設置は、図８及び図９を参照すればよいため、ここでその説明を省略する。
【００９６】
図１３に示すように、走査駆動回路１００ａは、第１表示領域１６と第２表示領域２６との間の折り畳み領域２１０に設置され、折り畳み操作を感知する対応するセンサー３００ａは、走査駆動回路１００ａに接続されて走査駆動回路１００ａにおける第１制御端Ｃ１及び第２制御端Ｃ２にそれぞれ第１制御信号及び第２制御信号を提供する。同様に、走査駆動回路１００ｂは、第１表示領域１６と第３表示領域３６との間の折り畳み領域２２０に設置され、折り畳み操作を感知する対応するセンサー３００ｂは、走査駆動回路１００ｂに接続されて走査駆動回路１００ｂにおける第３制御端Ｃ３及び第４制御端Ｃ４にそれぞれ第１制御信号及び第３制御信号を提供する。説明すべきのは、本開示の実施例は、センサー３００ａ及び３００ｂの設置位置を制限せず、表示装置５００上の他の構造と矛盾しない前提で、センサー３００ａ及び３００ｂは、表示装置５００上の任意の位置に設置されることができ、表示装置５００の折り畳み操作を感知して、ワイヤを介して制御信号を走査駆動回路に提供できればよい。
【００９７】
例えば、走査駆動回路１００ａ及び走査駆動回路１００ｂが図９に示す回路を使用し、図に示すトランジスタが全てＮ型トランジスタを使用する場合、信号入力端ＶＤＤは、高レベル電圧を提供する。例えば、第２表示領域２６及び第３表示領域３６を折り畳みれこれら二つの表示領域を第１表示領域１６の裏面に位置する場合、センサー３００ａは、折り畳み操作を感知して第１制御信号及び第２制御信号を生成し、センサー３００ｂは、折り畳み操作を感知して第１制御信号及び第３制御信号を生成する。例えば、第１制御信号は、第１表示領域１６が表示されるように制御する高レベル電圧信号であり、第２制御信号及び第３制御信号は、それぞれ第２表示領域２６及び第３表示領域３６を表示しないように制御する低レベル電圧信号である。
【００９８】
説明すべきのは、本開示の実施例は、上記したセンサーが制御信号を生成する方法に限定されない。例えば、上記した折り畳み操作が発生した場合、生成された第１制御信号、第２制御信号及び第３制御信号は、それぞれ低レベル電圧信号、高レベル電圧信号及び高レベル電圧信号であり、第１表示領域１６は表示されず、第２表示領域２６及び第３表示領域３６は表示されてユーザーの多様なニーズに対応することにしてもよい。
【００９９】
例えば、本開示の実施例の他の例示において、表示装置５００におけるセンサー３００は、他のタイプのセンサーであってもよい。例えば、表示装置５００上の各表示領域の周辺領域毎に一つの赤外線センサーを設置することができる。例えば、表示装置５００に折り畳み操作が発生した後、各表示領域周辺に設置された赤外線センサーは、ユーザーの目が現在の表示領域を見ているかどうかを感知する。例えば、ユーザが第１表示領域１６のみを見ている場合、第１表示領域１６に対応する赤外線センサは、ユーザを感知して、第１制御信号を走査駆動回路に出力して、第１表示領域を制御してプログレッシブ走査表示を実現する。
【０１００】
説明すべきのは、図１３に示すように、表示パネルの折り畳み領域２１０及び折り畳み領域２２０に、それぞれ走査駆動回路１００ａ及び走査駆動回路１００ｂを設置することで、折り畳み領域２１０及び折り畳み領域２２０に暗い線が生成されることができる。走査駆動回路１００ａ及び走査駆動回路１００ｂに隣接する表示領域におけるサブ画素の開口率を、上記した暗い線を除去することができるまで十分に大きく設計することができる。同時に、開口率の増加により、対応するサブ画素に求める電流密度も増加し、外部駆動ＩＣを介して比較的大きいデータ信号を対応するサブ画素に入力することで、走査駆動回路の設置による暗い線を改善することができる。
【０１０１】
また、表示パネルの折り畳み領域２１０及び折り畳み領域２２０にそれぞれ走査駆動回路１００ａ及び走査駆動回路１００ｂを設置したため、ｍｕｒａ類の不良（表示ムラ）が発生する可能性があり、後段の光学補償装置によって改善することができる。
【０１０２】
説明すべきのは、本開示の実施例は、表示装置のタイプを制限しない。例えば、表示装置は、ＬＣＤ表示パネルを供えてもよいし、ＯＬＥＤ表示パネル、または他の表示パネルを供えてもよい。
【０１０３】
本開示の実施例で提供される表示装置において、走査駆動回路を表示パネルの折り畳み領域に設置し、また薄膜トランジスタ（ＴＦＴ）と同じ製造プロセスを使用してアレイ基板に直接集積することで、フレームの幅を低減してナローフレームの効果を実現することができる。同時に、本開示の実施例で提供される表示装置は、需要に応じて領域ごとに表示（例えば、折り畳んだ後に一部の領域のみを表示する）することもでき、よって消費電力を低減することができる。
【０１０４】
本開示の実施例の一例示では、図５及び図６に示す走査駆動回路を駆動するための駆動方法をさらに提供する。図１４に示すように、前記方法は、以下のような操作を含む。
【０１０５】
ステップＳ１０：第１制御信号の制御下で、第１スイッチング回路１２及び第３スイッチング回路３２をオンにするように制御する。
【０１０６】
ステップＳ２０：第２制御信号の制御下で、第２スイッチング回路２２及び第４スイッチング回路４２をオンにするように制御する。
【０１０７】
ステップＳ３０：第１走査タイミングにおいて、第１走査信号及び第２走査信号を生成する。また、第１スイッチング回路１２を介して第１走査線１４に第１走査信号を出力し、第２スイッチング回路２２を介して第２走査線２４に前記第２走査信号を出力する。
【０１０８】
ステップＳ４０：第２走査タイミングにおいて、第３走査信号及び第４走査信号を生成する。また、第３スイッチング回路３２を介して第３走査線３４に第３走査信号を出力し、第４スイッチング回路４２を介して第４走査線４４に第４走査信号を出力する。
【０１０９】
例えば、第１表示領域１６の表示が必要な場合、ステップＳ１０、ステップＳ３０及びステップＳ４０を実行して第１表示領域１６のプログレッシブ走査表示を実現する。第２表示領域２６の表示が必要な場合、ステップＳ２０、ステップＳ３０及びステップＳ４０を実行して第２表示領域２６のプログレッシブ走査表示を実現する。または、第１表示領域１６と第２表示領域２６との同時的な表示が必要な場合、ステップＳ１０、ステップＳ２０、ステップＳ３０及びステップＳ４０を実行する。
【０１１０】
説明すべきのは、走査駆動回路がより多くの走査ユニット及び対応するスイッチング回路及び走査線を備える場合、上記した駆動方法は、これに応じて、より多くの操作ステップを含んでより多くのスイッチング回路を制御してより多くの走査信号を生成する。
【０１１１】
本例示の駆動方法を実行することにより、需要に応じて二つの領域のプログレッシブ走査表示をそれぞれ制御することができ、よって消費電力を低減することができる。
【０１１２】
例えば、本開示の実施例の他の例示では、図８及び図９に示す走査駆動回路を駆動するための駆動方法をさらに提供する。図１５に示すように、前記方法は、以下のような操作を含む。
【０１１３】
ステップＳ１０'：第１制御信号の制御下で、第１スイッチング回路１２、第３スイッチング回路３２、第５スイッチング回路５２及び第７スイッチング回路７２をオンにするように制御する。
【０１１４】
ステップＳ２０'：第２制御信号の制御下で、第２スイッチング回路２２及び第４スイッチング回路４２をオンにするように制御する。
【０１１５】
ステップＳ３０'：第３制御信号の制御下で、第６スイッチング回路６２及び第８スイッチング回路８２をオンにするように制御する。
【０１１６】
ステップＳ４０'：第１走査タイミングにおいて、第１走査信号、第２走査信号、第５走査信号及び第６走査信号を生成する。また、第１スイッチング回路１２を介して第１走査線１４に第１走査信号を出力し、第５スイッチング回路５２を介して第１走査線１４に第５走査信号を出力し、第２スイッチング回路２２を介して第２走査線２４に第２走査信号を出力し、第６スイッチング回路６２を介して第５走査線５４に前記第６走査信号を出力する。
【０１１７】
ステップＳ５０'：第２走査タイミングにおいて、第３走査信号、第４走査信号、第７走査信号及び第８走査信号を生成する。また、第３スイッチング回路３２を介して第３走査線３４を第３走査信号に出力し、第７スイッチング回路７２を介して第３走査線３４に第７走査信号を出力し、第４スイッチング回路４２を介して第４走査線４４に第４走査信号を出力し、第８スイッチング回路８２を介して第６走査線６４に第８走査信号を出力する。
【０１１８】
例えば、第１表示領域１６の表示が必要な場合、ステップＳ１０'、ステップＳ４０'及びステップＳ５０'を実行して第１表示領域１６のプログレッシブ走査表示を実現する。第２表示領域２６の表示が必要な場合、ステップＳ２０'、ステップＳ４０'及びステップＳ５０'を実行して第２表示領域２６のプログレッシブ走査表示実現する。第３表示領域３６の表示が必要な場合、ステップＳ３０'、ステップＳ４０'及びステップＳ５０'を実行して第３表示領域３６のプログレッシブ走査表示を実現する。または、第１表示領域１６、第２表示領域２６及び第３表示領域３６の同時的な表示が必要な場合、ステップＳ１０'、ステップＳ２０'、ステップＳ３０'、ステップＳ４０'及びステップＳ５０'を実行する。
【０１１９】
説明すべきのは、本開示の実施例は、上記した表示モードを含むが、これに限定されない。例えば、需要に応じて任意の組合せで二つの領域の表示を実現することができ、ここでその説明を省略する。
【０１２０】
また、表示パネルがより多くの表示領域を含む場合、これに応じてより多くの走査駆動回路を設置する必要があるため、上記した駆動方法は、より多くの操作ステップを含んでより多くを表示領域を制御する。
【０１２１】
本例示の駆動方法を実行することにより、需要に応じて複数の領域の表示をそれぞれ制御することができ、よって消費電力を低減することができる。
【０１２２】
上記は、本開示の具体的な実施形態に過ぎず、本開示の保護範囲は、それに限定されず、本開示の保護範囲は、特許請求項の範囲に従うべきである。
【符号の説明】
【０１２３】
１１  第１走査ユニット
１２  第１スイッチング回路
１３  第１制御回路
１４  第１走査線
１５  第１出力端
１６  第１表示領域
２１  第２走査ユニット
２２  第２スイッチング回路
２３  第２制御回路
２４  第２走査線
２５  第２出力端
２６  第２表示領域
３１  第３走査ユニット
３２  第３スイッチング回路
３３  第３制御回路
３４  第３走査線
３５  第３出力端
３６  第３表示領域
４１  第４走査ユニット
４２  第４スイッチング回路
４３  第４制御回路
４４  第４走査線
４５  第４出力端
５２  第５スイッチング回路
５４  第５走査線
５５  第５出力端
６２  第６スイッチング回路
６４  第６走査線
６５  第６出力端
７２  第７スイッチング回路
７５  第７出力端
８２  第８スイッチング回路
８５  第８出力端
１００  走査駆動回路
２００  表示パネル
３００  センサー
５００  表示装置
６００  タイミングコントローラ
【図１】
2020529620.tif 000003
【図２】
2020529620.tif 000004
【図３】
2020529620.tif 000005
【図４】
2020529620.tif 000006
【図５】
2020529620.tif 000007
【図６】
2020529620.tif 000008
【図７】
2020529620.tif 000009
【図８】
2020529620.tif 000010
【図９】
2020529620.tif 000011
【図１０】
2020529620.tif 000012
【図１１】
2020529620.tif 000013
【図１２】
2020529620.tif 000014
【図１３】
2020529620.tif 000015
【図１４】
2020529620.tif 000016
【図１５】
2020529620.tif 000017
【国際調査報告】
2020529620.tif 000018
2020529620.tif 000019
2020529620.tif 000020
2020529620.tif 000021